(57)【要約】【課題】ヘッド本体の重量調整用のウェイト部材を短時間で着脱することができるゴルフクラブヘッドを提供する。【解決手段】ヘッド本体５に設けた装着孔７の底面及びその底面に当接するウェイト部材６の一端面にそれぞれ磁石８、９を取り付けると共に、それら磁石８、９の表面に少なくとも１組のＮ極及びＳ極が現れるようにする。【選択図】図２
2010158316.tif 000002
【特許請求の範囲】
【請求項１】
中空構造のヘッド本体に装着孔を設けると共に、該装着孔内に装着されるウェイト部材を備えたゴルフクラブヘッドにおいて、
前記装着孔の底面及び装着時に該底面に当接する前記ウェイト部材の一端面にそれぞれ磁石を取り付けると共に、前記磁石の表面に少なくとも１組のＮ極及びＳ極が現れるようにしたゴルフクラブヘッド。
【請求項２】
前記装着孔からの前記ウェイト部材の脱落防止手段を備えた請求項１に記載のゴルフクラブヘッド。
【請求項３】
前記脱落防止手段が、前記ウェイト部材の側面の一端部から他端部まで延びる縦溝と、前記装着孔の開口部に形成され、前記縦溝に嵌合する突部と、から構成される請求項２に記載のゴルフクラブヘッド。
【請求項４】
前記ウェイト部材の他端面に底部の一部を拡幅した係合孔を設けると共に、該係合孔の拡幅部に係合する引出治具を備えた請求項１〜３のいずれかに記載のゴルフクラブヘッド。
【請求項５】
少なくとも前記磁石の表面をプラスチックフィルムで覆った請求項１〜４のいずれかに記載のゴルフクラブヘッド。
【発明の詳細な説明】
【技術分野】
【０００１】
本発明はゴルフクラブヘッドに関し、更に詳しくはヘッド本体の重量及び重心位置の調整用のウェイト部材を短時間で着脱できるようにしたゴルフクラブヘッドに関する。
【背景技術】
【０００２】
従来より、ゴルフクラブヘッドのヘッド本体にウェイト部材を装着することにより、ヘッド本体の重量や重心位置を調整することが広く行われている。このウェイト部材は、スイング時に脱落することがないように、通常はヘッド本体にネジ止めで固定されている。例えば特許文献１は、雄ネジ部を有するウェイト部を、雌ネジ部を有するヘッド本体の凹所内に螺着させて固定するようにしたゴルフクラブヘッドを提案している。
【０００３】
しかし、上記のゴルフクラブヘッドでは、ウェイト部材を装着又は取り外す際には、治具を用いてウェイト部材を数回転も回さなければならないため、ウェイト部材の着脱に時間が掛かるという問題があった。
【先行技術文献】
【特許文献】
【０００４】
【特許文献１】特表２００６−５０５３６７号公報
【発明の概要】
【発明が解決しようとする課題】
【０００５】
本発明の目的は、ヘッド本体の重量調整用のウェイト部材を短時間で着脱することができるゴルフクラブヘッドを提供することにある。
【課題を解決するための手段】
【０００６】
上記の目的を達成する本発明のゴルフクラブヘッドは、中空構造のヘッド本体に装着孔を設けると共に、該装着孔内に装着されるウェイト部材を備えたゴルフクラブヘッドにおいて、前記装着孔の底面及び装着時に該底面に当接する前記ウェイト部材の一端面にそれぞれ磁石を取り付けると共に、前記磁石の表面に少なくとも１組のＮ極及びＳ極が現れるようにしたことを特徴とするものである。
【０００７】
上記のゴルフクラブヘッドは、装着孔からのウェイト部材の脱落防止手段を備えることが望ましく、その脱落防止手段は、ウェイト部材の側面の一端部から他端部まで延びる縦溝と、装着孔の開口部に形成され、その縦溝に嵌合する突部とから構成することができる。
【０００８】
また、上記のゴルフクラブヘッドについては、ウェイト部材の他端面に底部の一部を拡幅した係合孔を設けると共に、その係合孔の拡幅部に係合する引出治具を備えることが望ましい。更に、少なくともそれら磁石の表面をプラスチックフィルムで覆うのがよい。
【発明の効果】
【０００９】
本発明のゴルフクラブヘッドによれば、ヘッド本体のフェース部を除く部分に設けた装着孔の底面及びその底面に当接するウェイト部材の一端面にそれぞれ磁石を取り付けると共に、その磁石の表面に少なくとも１組のＮ極及びＳ極が現れるようにしたので、ウェイト部材を装着孔内で最大でも半回転させることで、磁石の吸着力又は反発力が発生するため、ウェイト部材の装着及び取り外しを短時間で容易に行うことできる。
【図面の簡単な説明】
【００１０】
【図１】本発明の実施形態からなるゴルフクラブヘッドの底面図である。
【図２】図１においてＡ−Ａ矢視で示す一部断面図である。
【図３】装着孔へのウェイト部材の組付図である。
【図４】磁石の平面図であって、（ａ）はＮ極とＳ極が１組の場合を、（ｂ）はＮ極とＳ極が２組の場合を、それぞれ示す。
【図５】脱落防止手段の一例におけるウェイト部材の構造を示し、（ａ）は側面図を、（ｂ）は（ａ）におけるＢ−Ｂ矢視を、それぞれ示す。
【図６】脱落防止手段の一例における装着孔の構造を示し、（ａ）は側部の断面図を、（ｂ）は（ａ）におけるＣ−Ｃ矢視を、それぞれ示す。
【図７】脱落防止手段の一例におけるウェイト部材の取付工程を示し、（ａ）は装着孔へウェイト部材を挿入する工程を、（ｂ）はウェイト部材を固定する工程を、それぞれ示す。
【図８】脱落防止手段の他の例におけるウェイト部材の取付工程を示し、（ａ）は装着孔へウェイト部材を挿入する工程を、（ｂ）はウェイト部材を固定する工程を、それぞれ示す。
【図９】ウェイト部材の構造の他の例を示し、（ａ）は側面図を、（ｂ）は（ａ）におけるＤ−Ｄ矢視を、それぞれ示す。
【図１０】図９のウェイト部材の取り外し工程を示す一部断面図であって、（ａ）は治具を挿入する工程を、（ｂ）は治具を係合する工程を、（ｃ）は治具でウェイト部材を引き抜く工程を、それぞれ示す。
【発明を実施するための形態】
【００１１】
以下に、本発明の実施の形態について、図面を参照して説明する。
【００１２】
図１及び図２は、本発明の実施形態からなるゴルフクラブヘッドを示す。
【００１３】
このゴルフクラブヘッドは、ゴルフボールを打撃するフェース部１の上縁部にクラウン部２を、下縁部にソール部３をそれぞれ連接すると共に、クラウン部２の一部にホーゼル４を形成した中空構造のヘッド本体５を構成している。ソール部３には、ヘッド本体５の重量及び重心位置を調整するためのウェイト部材６を装着するための装着孔７が形成されており、ヘッド本体５とは別体であるウェイト部材６は、その装着孔７に磁力により固定されるようになっている。
【００１４】
ウェイト部材６及び装着孔７の詳細を図３に示す。ウェイト部材６は、鉄やタングステンなどの比重の大きい金属からなる円筒形状を有しており、約３ｇ〜２０ｇの範囲内で重量別に複数の種類が用意されている。また、ヘッド本体５の装着孔７は、ウェイト部材６を収納可能な大きさを有している。なお、装着孔７の個数及び位置は、図１及び図２に示すものに限られるものではないが、少なくともフェース部１を除く部分に設ける必要がある。そして、装着孔７の底面、及び装着時にその底面に当接するウェイト部材６の一端面には、それぞれ磁石８、９が取り付けられている。それら磁石８、９の材質は特に限定するものではないが、ネオジウムやサマリウムコバルトなどの強力な磁力を発生する材料を用いることが好ましい。これらの磁石８、９は、表面に少なくとも１組のＮ極とＳ極が現れるようになっているが、製造コスト及び発生磁力の観点から、図４（ａ）のように１組、又は図４（ｂ）のように２組のＮ極とＳ極が現れるようにすることが好ましい。
【００１５】
このように、ゴルフクラブヘッドのヘッド本体５のフェース部１を除く部分に設けた装着孔７の底面と、その底面に当接するウェイト部材６の一端面にそれぞれ磁石８、９を取り付けると共に、それら磁石８、９の表面に少なくとも１組のＮ極とＳ極が現れるようにしたので、ヘッド本体５の装着孔７に挿入されたウェイト部材６を最大でも半回転させれば、ウェイト部材６の磁石９と装着孔７の磁石８とが磁力により互いに吸着又は反発するので、ウェイト部材６の装着及び取り外しを短時間で容易に行うことできる。
【００１６】
このとき、プレイヤーがウェイト部材６を容易に回転させることができるように、ウェイト部材６の他端面には、爪先やコイン等が係合する径方向溝１０を形成しておくのがよい。
【００１７】
上記のゴルフクラブヘッドにおいては、装着孔７内に装着・固定されたウェイト部材６がプレー中に脱落することがないように、脱落防止手段を設けることが望ましい。
【００１８】
脱落防止手段の一例を図５及び図６に示す。この脱落防止手段は、ウェイト部材６の側面に形成され、一端部から他端部まで延びる縦溝１１（図５）と、装着孔７の開口部に形成され、ウェイト部材６の縦溝１１に嵌合する突部１２（図６）とから構成される。このように構成することで、ウェイト部材６の縦溝１１に装着孔７の突部１２を嵌合させつつウェイト部材６を装着孔７内へ挿入し（図７（ａ））、縦溝１１と突部１２の嵌合が解除された後にウェイト部材６を回転させることで、磁石８、９同士が吸着しかつウェイト部材６が突部上に支持される（図７（ｂ））ので、プレー中におけるウェイト部材６の脱落を防止することができる。縦溝１１及び突部１２の周方向位置は特に限定するものではないが、中心に対して対称な位置に２〜４箇所設けることが好ましい。また、磁石８、９の表面に現れるＮ極及びＳ極の位置は、縦溝１１及び突部１２の位置に対して互いに周方向にずれている必要がある。
【００１９】
脱落防止手段の他の例を図８に示す。この脱落防止手段は、ウェイト部材６の一端部近傍の側面に形成された雄ネジ部１３と、装着孔７の底面付近の内面に形成された雌ネジ部１４とから構成され、それら雄ネジ部１３と雌ネジ部１４とは、最大でも半回転させると互いに螺着するようになっている。このように構成することで、ウェイト部材６を装着孔７内に挿入し回転させることで、磁石８、９同士が吸着しかつウェイト部材６が装着孔７内に螺着するので、プレー中におけるウェイト部材６の脱落を防止することができる。
【００２０】
また、本発明のゴルフクラブヘッドにおいては、ウェイト部材６の取り外しを容易にするために、図９に示すように、ウェイト部材６の他端面に、底部の一部を拡幅した係合孔１５を設けることが望ましい。このようにすることで、略Ｌ字形の引出治具１６を係合孔１５へ差し込み（図１０（ａ））、引出治具１６を回転させて先端部を拡幅部１７に係合させることで（図１０（ｂ））、ウェイト部材６を容易に回転させつつ装着孔７から引き抜くことができる（図１０（ｃ））。
【００２１】
本発明のゴルフクラブヘッドは磁石８、９を用いているため、プレー中に砂鉄などの磁性体が吸着し、磁力低下や外観劣化を招く可能性がある。そのため、吸着した磁性体を容易に除去できるように、少なくとも磁石８、９の表面、好ましくはウェイト部材６及び装着孔７の全体を、薄いプラスチックフィルムであらかじめ覆うようにすることが望ましい。
【符号の説明】
【００２２】
１  フェース部
２  クラウン部
３  ソール部
４  ホーゼル
５  ヘッド本体
６  ウェイト部材
７  装着孔
８  （装着孔の）磁石
９  （ウェイト部材の）磁石
１０  径方向溝
１１  縦溝
１２  突部
１３  雄ネジ部
１４  雌ネジ部
１５  係合孔
１６  引出治具
１７  拡幅部
【図１】
2010158316.tif 000003
【図２】
2010158316.tif 000004
【図３】
2010158316.tif 000005
【図４】
2010158316.tif 000006
【図５】
2010158316.tif 000007
【図６】
2010158316.tif 000008
【図７】
2010158316.tif 000009
【図８】
2010158316.tif 000010
【図９】
2010158316.tif 000011
【図１０】
2010158316.tif 000012